(57)【特許請求の範囲】
【請求項１】
躯体に取り付けられるカーテンウォールユニットであって、
前記躯体に沿って配置され、前記躯体に固定される固定部を有し、階高に相当する高さの四方枠状のインナー側枠体と、該インナー側枠体に気密材を介して固定されたインナーガラスと、を有するインナースキンと、
前記インナースキンの屋外側に間隔を有して配置され、四方枠状のアウター側枠体を有するアウタースキンと、を備え、
前記インナースキンと前記アウタースキンとは、
前記インナースキンの上部と前記アウタースキンの上部とを連結する棒状の上部連結部及び前記インナースキンの下部と前記アウタースキンの下部とを連結する棒状の下部連結部で連結されていることを特徴とするカーテンウォールユニット。
【請求項２】
前記インナースキンは、
前記インナー側枠体の内部に、前記インナーガラスよりも屋内側に配置されたボードを有する請求項１に記載のカーテンウォールユニット。
【請求項３】
前記インナースキンは、腰部及び窓部を有するとともに、前記アウタースキンに重なるように配置されている請求項１または２に記載のカーテンウォールユニット。
【請求項４】
前記アウタースキンは、
前記アウター側枠体の内部に配置されたアウターガラス、を有し、
前記アウター側枠体には、前記上部連結部及び前記下部連結部を収容可能な凹部が形成されている請求項１から３のいずれか一項に記載のカーテンウォールユニット。
【請求項５】
請求項１から４のいずれか一項に記載されたカーテンウォールユニットが前記躯体に沿って上下及び／又は左右に隣接配置されたカーテンウォール設置構造であって、
隣接する前記インナースキン同士は連結され、
左右に隣接する前記アウタースキン同士は気密材で前記屋外側を塞いで連結されていることを特徴とするカーテンウォール設置構造。
【請求項６】
躯体に沿って配置され、階高に相当する高さの四方枠状のインナー側枠体と、該インナー側枠体に気密材を介して固定されたインナーガラスと、を有するインナースキンと、前記インナースキンよりも屋外側に配置され、四方枠状のアウター側枠体を有するアウタースキンとを、前記インナースキンの上部と前記アウタースキンの上部とを棒状の上部連結部及び前記インナースキンの下部と前記アウタースキンの下部とを棒状の下部連結部で連結してカーテンウォールユニットを組み立てるユニット組立工程と、
該ユニット組立工程の後に、前記インナースキンを前記躯体に固定する固定工程と、
隣接するカーテンウォールユニットの前記インナースキン同士を連結するユニット連結工程と、を備えることを特徴とするカーテンウォールの施工方法。
【請求項７】
前記ユニット組立工程の後且つ前記固定工程の前に、前記カーテンウォールユニットに付帯物を設置する付帯物設置工程を備える請求項６に記載のカーテンウォールの施工方法。
【発明の詳細な説明】
【技術分野】
【０００１】
本発明は、建築物の外壁を構成するカーテンウォールユニット、カーテンウォール及びカーテンウォールの施工方法に関するものである。
【背景技術】
【０００２】
従来から、中高層ビル等の建築物の外壁は、枠内にガラスパネルを固定して構成され、躯体に取り付けたファスナーに、カーテンウォールに取り付けられたブラケットを結合して外壁として構成していることが多い。また、ガラスが見込み方向に離間して２重に配置されたいわゆるダブルスキンカーテンウォールも知られている。
【０００３】
例えば下記の特許文献１に記載されたダブルスキンカーテンウォールは、複数のカーテンウォールユニットが上下左右に配置されて構成されている。カーテンウォールユニットは、上横枠、下横枠、縦枠等により矩形状に形成された枠体と、枠体の内側の室外側に配置される室外側ガラス及びスパンドレル部ガラス、室内側に配置される室内側ガラス及びボードと、を有している。枠体を構成する上横枠、下横枠、縦枠は、室外側ガラスと室内側ガラスとの見込み方向の離間寸法に相当する奥行寸法を有しており、枠体により各カーテンウォールユニットは区画されている。
【０００４】
また下記の特許文献２に記載されたダブルスキンカーテンウォールは、躯体の壁部に接合金物を介して固定されるインナースキンと、壁部から室外側に突出するように設けられた片持ち支持部に接合金物を介して固定されたアウタースキンと、を有している。
【先行技術文献】
【特許文献】
【０００５】
【特許文献１】特開２０１１−１１１８３３号公報
【特許文献２】特開２０１０−２７０４８０号公報
【発明の概要】
【発明が解決しようとする課題】
【０００６】
しかしながら、上記の特許文献１に記載されたダブルスキンカーテンウォールでは、室外側ガラスと室内側ガラスとの間の空間は、上横枠、下横枠、縦枠等の枠材で囲まれて外部と区画されているため、各カーテンウォールユニットの内外への空気の流れを十分に確保することができず、換気効率が低下するという問題点がある。
【０００７】
また、上記の特許文献２に記載されたダブルスキンカーテンウォールでは、アウタースキンを躯体に支持固定するために、インナースキンよりも室外側にまで片持ち支持部等の部材を突出させる必要がある。このため、建築工事、防水工事、カーテンウォールの設置工事やグレーチング等の付帯物の設置工事等の複数の工事が必要であり、複数の工事業者が作業を行うため、工期が長期化するわりには水密性・気密性が担保されにくいという問題点がある。
【０００８】
そこで、本発明は、上記事情に鑑みてなされたものであり、短期間で施工が可能なカーテンウォールユニット、カーテンウォール設置構造及びカーテンウォールの施工方法を提供する。
【課題を解決するための手段】
【０００９】
上記目的を達成するために、本発明は以下の手段を採用している。
すなわち、本発明に係るカーテンウォールユニットは、躯体に取り付けられるカーテンウォールユニットであって、前記躯体に沿って配置され、前記躯体に固定される固定部を有し、階高に相当する高さの四方枠状のインナー側枠体と、該インナー側枠体に気密材を介して固定されたインナーガラスと、を有するインナースキンと、前記インナースキンの屋外側に間隔を有して配置され、四方枠状のアウター側枠体を有するアウタースキンと、を備え、前記インナースキンと前記アウタースキンとは、前記インナースキンの上部と前記アウタースキンの上部とを連結する棒状の上部連結部及び前記インナースキンの下部と前記アウタースキンの下部とを連結する棒状の下部連結部で連結されていることを特徴とする。
【００１０】
このように構成されたカーテンウォールユニットは、インナースキンと、アウタースキンと、インナースキンとアウタースキンとを連結する上部連結部及び下部連結部と、を有する。このカーテンウォールユニットは、インナースキンの固定部により建築物の外周部に固定される。よって、ユニット化されたカーテンウォールにより、短期間で施工が可能である。
また、インナースキンとアウタースキンとは上部連結部及び下部連結部により連結されている。よって、インナースキンとアウタースキンとの間の空間の外周部において、ルートを特定することなく、空気の流入、流出が可能であり、換気効率を確保することができる。
また、上部連結部並びに下部連結部、インナースキンの外周端部及びアウタースキンの外周端部により、インナースキンとアウタースキンとの間の空間と外部とを連通する連通空間が形成されている。よって、連通空間を通して、外部からインナースキンとアウタースキンとの間に空気を流入させることができるとともに、インナースキンとアウタースキンとの間から外部に空気を流出させることができ、換気効率を確保することができる。
また、インナースキンとアウタースキンとは、上部及び下部で、上部連結部及び下部連結部で連結されている。よって、インナースキンとアウタースキンとを容易に連結できるとともに、剛性の高いカーテンウォールユニットとすることができる。
また、インナーガラスはインナー側枠体に気密材を介して固定されているため、気密材により屋内側への浸入が抑制され、水密性を確保することができる。
【００１７】
また、本発明に係るカーテンウォールユニットでは、前記インナースキンは、前記インナー側枠体の内部に、前記インナーガラスよりも屋内側に配置されたボードを有していてもよい。
【００１８】
このように構成されたカーテンウォールユニットでは、インナースキンはインナー側枠体の内部にインナーガラスよりも屋内側に配置されたボードを有しているため、建築物の外周部の露出をボードにより抑制することができる。
【００１９】
また、本発明に係るカーテンウォールユニットは、前記インナースキンは、腰部及び窓部を有するとともに、前記アウタースキンに重なるように配置されていてもよい。
【００２０】
このように構成されたカーテンウォールユニットでは、インナースキンは、腰部及び窓部を有するとともに、アウタースキンに重なるように配置されている。つまり、インナースキンがアウタースキンと重なるように略同一の大きさで形成されているため、インナースキンを大きく確保することができる。
【００２１】
また、本発明に係るカーテンウォールユニットでは、前記アウタースキンは、前記アウター側枠体の内部に配置されたアウターガラス、を有し、前記アウター側枠体には、前記上部連結部及び前記下部連結部を収容可能な凹部が形成されていてもよい。
【００２２】
このように構成されたカーテンウォールユニットでは、アウター側枠体には凹部が形成され、凹部には上部連結部及び下部連結部が収容されている。よって、屋外側から見ると、上部連結部及び下部連結部がアウター側枠体で隠れて目視できないため、外観を向上させることができる。
【００２３】
また、本発明に係るカーテンウォール設置構造は、上記のいずれか一に記載されたカーテンウォールユニットが前記躯体に沿って上下及び／又は左右に隣接配置されたカーテンウォールであって、隣接する前記インナースキン同士は連結され、左右に隣接する前記アウタースキン同士は気密材で前記屋外側を塞いで連結されていることを特徴とする。
【００２４】
このように構成されたカーテンウォール設置構造では、隣接するインナースキン同士が連結されることで、カーテンウォールユニット同士が連結される。また、左右に隣接するアウタースキン同士は気密材で屋外側を塞いで連結されているため、アウタースキン同士の間の気密材により、カーテンウォールユニットの振動やクリアランス等を吸収することができる。
【００２５】
また、本発明に係るカーテンウォールの施工方法は、躯体に沿って配置され、階高に相当する高さの四方枠状のインナー側枠体と、該インナー側枠体に気密材を介して固定されたインナーガラスと、を有するインナースキンと、前記インナースキンよりも屋外側に配置され、四方枠状のアウター側枠体を有するアウタースキンとを、前記インナースキンの上部と前記アウタースキンの上部とを棒状の上部連結部及び前記インナースキンの下部と前記アウタースキンの下部とを棒状の下部連結部で連結してカーテンウォールユニットを組み立てるユニット組立工程と、該ユニット組立工程の後に、前記インナースキンを前記躯体に固定する固定工程と、隣接するカーテンウォールユニットの前記インナースキン同士を連結するユニット連結工程と、を備えることを特徴とする。
【００２６】
このように構成されたカーテンウォールの施工方法では、ユニット組立工程において、躯体に沿って配置されるインナースキンと、インナースキンよりも屋外側に配置されるアウタースキンとが、上部連結部及び下部連結部で連結され、カーテンウォールユニットが組み立てられる。
ユニット組立工程の後の固定工程において、インナースキンが躯体に固定される。ユニット連結工程において、隣接するカーテンウォールユニットのインナースキン同士が連結される。よって、ユニット化されたカーテンウォールユニットを躯体に固定すればよいため、現場での作業を短期間で行うことができる。
また、インナースキンとアウタースキンとは上部連結部及び下部連結部により連結されている。よって、インナースキンとアウタースキンとの間の空間の外周部において、ルートを特定することなく、空気の流入、流出が可能であり、換気効率を確保することができる。
【００２７】
また、本発明に係るカーテンウォールの施工方法は、前記ユニット組立工程の後且つ前記固定工程の前に、前記カーテンウォールユニットに付帯物を設置する付帯物設置工程を備える。
【００２８】
このように構成されたカーテンウォールの施工方法では、予め付帯物をカーテンウォールユニットに設置しておくことで、工期を短縮することができる。
【発明の効果】
【００２９】
本発明に係るカーテンウォールユニット、カーテンウォール設置構造及びカーテンウォールの施工方法によれば、ユニット化されたカーテンウォールにより、短期間で施工が可能である。
【図面の簡単な説明】
【００３０】
【図１】本発明の一実施形態に係るカーテンウォール設置構造の正面図である。
【図２】図１のＸ−Ｘ線断面図である。
【図３】本発明の一実施形態に係るカーテンウォールユニットを屋外側から見た概略斜視図である。
【図４】図２のａ部拡大図である。
【図５】図４のｂ部拡大図である。
【図６】図４のＹ−Ｙ線断面図である。
【図７】図６のｃ部拡大図である。
【図８】図４のｄ部拡大図である。
【図９】図２のｅ部拡大図である。
【図１０】図９のｆ部拡大図である。
【図１１】図６のｇ部拡大図である。
【発明を実施するための形態】
【００３１】
以下、本発明の一実施形態のカーテンウォール設置構造について、図面を参照しながら説明する。
図１は、本発明の一実施形態に係るカーテンウォール設置構造の正面図である。図２は、図１のＸ−Ｘ線断面図である。
図１及び図２に示すように、建築物Ａの外壁を構成するカーテンウォール（カーテンウォール設置構造）１は、屋外側に配置されるアウター面材１Ａと、アウター面材１Ａの内側に所定の間隔を有して配置されるインナー面材１Ｂと、を有するダブルスキンで構成されている。
【００３２】
図３は、カーテンウォールユニットを屋外側から見た概略斜視図である。
図１に示すカーテンウォール１は、図３に示すカーテンウォールユニット１０が上下方向及び左右方向（建築物Ａの幅方向）に複数隣接配置されて構成されている。カーテンウォールユニット１０の高さは、各階高に相当する高さとされている。
【００３３】
図３に示すように、カーテンウォールユニット１０は、屋外側に配置されるアウタースキン１０Ａと、屋内側に配置されるインナースキン１０Ｂと、アウタースキン１０Ａとインナースキン１０Ｂとを連結する上支持材（連結部材、上部連結部）６及び下支持材（連結部材、下部連結部）７と、梁Ｂ１（図４参照。以下同じ。）の下部と梁Ｂ１の上部とに設けられるブラケット９１及び締結ボルト９１Ｂと、を有している。つまり、アウタースキン１０Ａはアウター面材１Ａの一部を構成し、インナースキン１０Ｂはインナー面材１Ｂの一部を構成する。アウタースキン１０Ａとインナースキン１０Ｂとは略同一の大きさで形成され、正面視で重なるように配置されている。
【００３４】
アウタースキン１０Ａは、正面視四方枠状に形成された枠体（アウター側枠体）２と、枠体２の内側に配置されたアウターガラス３０と、を有している。
【００３５】
枠体２は、左右方向に延びる上枠２１と、上枠２１の下方に配置され左右方向に延びる下枠２２と、上枠２１及び下枠２２の両端部どうしをそれぞれ連結し上下方向に延びる縦枠２３と、を有している。これら上枠２１、下枠２２及び縦枠２３を総称して、単に枠２０と称することがある。
【００３６】
図４は、図２のａ部拡大図である。図５は、図４のｂ部拡大図である。図６は、図４のＹ−Ｙ線断面図である。図７は、図６のｃ部拡大図である。
図５及び図７に示すように、枠２０は、それぞれ屋内側に配置された基部２５と、屋外側に配置され、基部２５と嵌合されることで一体とされた先端部２６と、を有している。基部２５の屋外側と先端部２６とにより、アウターガラス３０の端部から離間するように凹む凹溝２６Ｈが形成されている。
【００３７】
アウターガラス３０は、本実施形態では、例えば２枚のガラスにより構成された合わせガラスである。アウターガラス３０の端部は、枠２０の凹溝２６Ｈに挿入されている。また、アウターガラス３０の端部と凹溝２６Ｈとの間には、ガスケット等の気密材３６が嵌め込まれている。
【００３８】
図４に示すように、上枠２１の屋内側には、上枠２１の長手方向に沿ってブラインド支持部２８が取り付けられている。ブラインド支持部２８の下面には、ブラインド（付帯物）Ｃが取り付けられている。
【００３９】
図３に示すように、インナースキン１０Ｂは、枠体（インナー側枠体）４と、枠体４の内側に配置された上部インナーガラス（インナーガラス）５１、ボード５２及び下部インナーガラス（インナーガラス）５３と、を有している。本実施形態では、上部インナーガラス５１及びボード５２が配置される部分が腰部５０Ａとされ、下部インナーガラス５３が配置される部分が窓部５０Ｂとされている。
【００４０】
枠体４は、左右方向に延びる上枠４１と、上枠４１の下方に配置され左右方向に延びる下枠４２と、上枠４１と下枠４２との間に配置され左右方向に延びる中間枠４４と、上枠４１、下枠４２及び中間枠４４の両端部どうしをそれぞれ連結し上下方向に延びる縦枠４３と、を有している。これら上枠４１、下枠４２、中間枠４４及び縦枠４３を総称して、単に枠４０と称することがある。
【００４１】
図８は、図４のｄ部拡大図である。図９は、図２のｅ部拡大図である。図１０は、図９のｆ部拡大図である。図１１は、図６のｇ部拡大図である。
図８から図１１に示すように、上枠４１、中間枠４４及び縦枠４３とで囲まれた部分には、屋外側に上部インナーガラス５１が配置され、屋内側にボード５２が配置されている。上部インナーガラス５１とボード５２とは見込み方向に離間して配置されている。本実施形態では、ボード５２として、耐火性能を有する部材が採用されている。
【００４２】
図８、図１０及び図１１に示すように、枠４０は、それぞれ屋内側に配置された基部４５と、屋外側に配置され、基部４５と嵌合されることで一体とされた先端部４６と、を有している。基部４５の屋外側と先端部４６とにより、上部インナーガラス５１及び下部インナーガラス５３の端部から離間するように凹む凹溝４６Ｈが形成されている。凹溝４６Ｈは、枠４０の屋外側に設けられている。
【００４３】
上部インナーガラス５１の端部及び下部インナーガラス５３の端部は、枠４０の凹溝４６Ｈに挿入されている。また、インナーガラスの端部と凹溝４６Ｈとの間には、ガスケット等の気密材５６が嵌め込まれている。
【００４４】
図１０に示すように、中間枠４４の基部４５の上面には、下方に凹む弁穴４４Ｈが設けられ、弁穴４４Ｈには結露排水弁４８が設けられている。
【００４５】
図８、図１０及び図１１に示すように、中間枠４４、下枠４２及び縦枠４３とで囲まれた部分には、下部インナーガラス５３が配置されている。本実施形態では、下部インナーガラス５３は、２枚のガラスにより構成された合わせガラスである。
【００４６】
図１１に示すように、縦枠４３の屋内側には、ボード５２の端部を支持する支持枠４９が上下方向に沿って設けられている。支持枠４９には、ボード５２の端部から離間するように凹む凹溝４９Ｈが形成されている。
【００４７】
ボード５２の左右両端部は、支持枠４９の凹溝４６Ｈに挿入されている。図１０に示すように、ボード５２の下端部は、中間枠４４に設けられた水平面に沿う支持面４４Ａに支持されている。また、ボード５２の下端部における左右方向の端部は、中間枠４４の支持面から立設された立設面４４Ｂと縦枠４３との間に挟み込まれている。図８に示すように、ボード５２の上端部は、上枠４１に設けられ当接部４１Ａに当接している。また、ボード５２の上端部における左右方向の端部は、上枠４１の当接部４１Ａと縦枠４３との間に挟み込まれている。
【００４８】
図３に示すように、上支持材６は、アウタースキン１０Ａの縦枠２３の上端部とインナースキン１０Ｂの縦枠４３の上端部とを連結している。下支持材７は、アウタースキン１０Ａの縦枠２３の下端部とインナースキン１０Ｂの縦枠４３の下端部とを連結している。上支持材６及び下支持材７は、カーテンウォールユニット１０の左右両側にそれぞれ設けられ、アウタースキン１０Ａとインナースキン１０Ｂとを一体化している。本実施形態では、上支持材６及び下支持材７は、例えば高強度アルミ、ステンレス等の防錆性を有する金属で構成されている。
【００４９】
図７に示すように、アウタースキン１０Ａの縦枠２３の基部２５には、アウタースキン１０Ａの左右方向に沿って向かって延びる第一壁部８１、及び第一壁部８１の端部から屋内側に向かって延びる第二壁部８２が設けられている。
【００５０】
第二壁部８２の裏面（カーテンウォールユニット１０の幅方向内側の面）には、裏板８５が設けられている。本実施形態では、裏板８５は、例えば高強度アルミ、ステンレス等の防錆性を有する金属で構成されている。
【００５１】
縦枠２３には、第一壁部８１及び第二壁部８２により、左右方向の中心側且つ屋外側に凹む取付空間（凹部）Ｓ１が形成されている。
【００５２】
図１１に示すように、インナースキン１０Ｂの縦枠４３の基部４５には、インナースキン１０Ｂの左右方向に沿って延びる第三壁部８３、及び第三壁部８３の端部から屋外側に向かって延びる第四壁部８４が設けられている。
【００５３】
第四壁部８４の裏面（カーテンウォールユニット１０の幅方向内側の面）には、裏板８５が設けられている。本実施形態では、裏板８５は、例えば高強度アルミ、ステンレス等の防錆性を有する金属で構成されている。
【００５４】
縦枠４３には、第三壁部８３及び第四壁部８４により、左右方向の中心側且つ屋内側に凹む取付空間Ｓ２が形成されている。
【００５５】
図３、図７及び図１１に示すように、上支持材６は、見込み方向に延びる棒状に形成されている。上支持材６は、見付け方向に沿う断面視で、例えば矩形状に形成されている。
【００５６】
上支持材６は、アウタースキン１０Ａの第二壁部８２及びインナースキン１０Ｂの第四壁部８４に沿って配置されている。また、上支持材６の端部は、アウタースキン１０Ａの第一壁部８１及びインナースキン１０Ｂの第三壁部８３に当接している。
【００５７】
上支持材６の屋外側の端部は、アウタースキン１０Ａの第二壁部８２及び第二壁部８２の裏面に設けられた裏板８５に、螺子６１で固定されている。また、上支持材６の屋内側の端部は、インナースキン１０Ｂの第四壁部８４及び第四壁部８４の裏面に設けられた裏板８５に、螺子６１で固定されている。螺子６１は、見込み方向に離間して２列、上下方向に離間して例えば２列の合計４箇所で螺合されている。
【００５８】
図３に示すように、下支持材７は、見込み方向に延びる棒状に形成されている。下支持材７は、見付け方向に沿う断面視で、例えばＬ字状に形成されている。
【００５９】
下支持材７は、鉛直面に沿って延びる取付板部７１と、取付板部７１の端部から折曲され水平面に沿って延びる支持板部７２と、を有している。図３及び図４に示すように、取付板部７１の長手方向の中央側には、下方に凹む凹部７３が形成されている。
【００６０】
下支持材７の取付板部７１は、アウタースキン１０Ａの第二壁部８２及びインナースキン１０Ｂの第四壁部８４に沿って配置されている。また、下支持材７の端部は、アウタースキン１０Ａの第一壁部８１及びインナースキン１０Ｂの第三壁部８３に当接している。下支持材７の支持板部７２は、アウタースキン１０Ａ及びインナースキン１０Ｂの縦枠４３の下面に沿って配置されている。
【００６１】
取付板部７１の屋外側の端部は、アウタースキン１０Ａの第二壁部８２及び第二壁部８２の裏面に設けられた裏板８５に、螺子６１で固定されている。また、取付板部７１の屋内側の端部は、インナースキン１０Ｂの第四壁部８４及び第四壁部８４の裏面に設けられた裏板８５に、螺子７４で固定されている。螺子７４は、見込み方向に離間して２列、上下方向に離間して２列の例えば合計４箇所で螺合されている。
【００６２】
一対の下支持材７間において屋内側には、上下方向に貫通する貫通孔（不図示）が形成されたグレーチング板（付帯物）Ｇ（図４及び図６参照）が設けられている。本実施形態では、グレーチング板Ｇの端部は、下支持材７の支持板部７２に螺子（不図示）等により固定されている。
【００６３】
このように、アウタースキン１０Ａとインナースキン１０Ｂとは、４本の棒状に形成された支持材（上支持材６、下支持材７）で連結されている。アウタースキン１０Ａの外周端部、インナースキン１０Ｂの外周端部及び支持材（上支持材６、下支持材７）により、アウタースキン１０Ａとインナースキン１０Ｂとの間の空間と当該カーテンウォールユニット１０の外部とを連通する連通空間Ｋ１（図３参照）が形成されている。なお、支持材の本数、配置位置は適宜設置可能である。
【００６４】
本実施形態では、アウターガラス３０と上部インナーガラス５１及び下部インナーガラス５３との離間距離が例えば約６００ｍｍ程度となるように、アウタースキン１０Ａとインナースキン１０Ｂとが上支持材６及び下支持材７により連結されている。これにより、アウタースキン１０Ａとインナースキン１０Ｂとの間に、大キャビティが形成されている。
【００６５】
次に、カーテンウォールユニット１０が建築物Ａの躯体Ｂに固定される構成について説明する。
図８、図１０及び図１１に示すように、インナースキン１０Ｂの縦枠４３の上部及び中間枠４４よりもわずかに上方位置において、屋内側には、ブラケット（固定部）９１が締結ボルト９１Ｂで固定されている。
【００６６】
一方、建築物Ａの梁Ｂ１等の躯体Ｂには、屋外側に水平に沿って突出するプレートＰが固定されている。このプレートＰとブラケット９１とが、Ｌ字状に形成されたファスナー９２を介して固定されている。
【００６７】
すなわち、ファスナー９２は、プレートＰに沿う水平部９３と、水平部９３の端部から折曲された鉛直部９４と、を有している。水平部９３がプレートＰに締結ボルト９３Ｂで固定され、鉛直部９４がブラケット９１に締結ボルト９４Ｂで固定されている。
【００６８】
次に、躯体Ｂに固定されたカーテンウォールユニット１０同士の連結について説明する。
図１１に示すように、左右方向に隣接するカーテンウォールユニット１０の屋内側では、隣接するインナースキン１０Ｂの縦枠４３同士が嵌合されている。
【００６９】
すなわち、一方の縦枠４３の基部４５には、他方の縦枠４３に向かって突出し、上下方向に延びる外側突出片８６が設けられている。外側突出片８６は、見込み方向に離間して一対設けられている。
【００７０】
他方の縦枠４３の基部４５には、一方の縦枠４３に向かって突出し、上下方向に延びる内側突出片８７が設けられている。内側突出片８７は、見込み方向に離間して一対設けられ、屋外側にはレインバリアが設けられ、屋内側にはウインドウバリアが設けられている。内側突出片８７が、外側突出片８６の内側に嵌め込まれている。
【００７１】
また、各縦枠４３には、互いに対向する対向面に、離間する方向に凹む凹溝８８が形成されている。凹溝８８は、水平断面視でＴ字状をなすように形成されている。この凹溝８８間には、先端部が凹溝８８の形状に沿って幅広に形成された開き止め材８９が配置されている。抜け止め材は、縦枠４３同士を嵌合した後に、上方から挿入されている。
【００７２】
内側突出片８７と外側突出片８６との嵌合、及び凹溝８８間に挿入された開き止め材８９により、縦枠４３同士の互いに離間する方向への移動が規制されている。
【００７３】
図７に示すように、左右方向に隣接するカーテンウォールユニット１０の屋外側では、隣り合うアウタースキン１０Ａ同士は直接連結されず、縦枠２３同士が隙間Ｓ３を有して配置されるとともに、縦枠２３間にはスプラッシュバリア（気密材）９６が設けられている。
【００７４】
図８に示すように、上下方向に隣接するカーテンウォールユニット１０の屋内側では、下側に配置されたインナースキン１０Ｂの上枠４１と上側に配置されたインナースキン１０Ｂの下枠４２とが嵌合されている。
【００７５】
すなわち、下側に配置されたインナースキン１０Ｂの上枠４１の基部４５には、上方に向かって突出し、左右方向に延びる外側突出片８６が設けられている。外側突出片８６は、見込み方向に離間して一対設けられ、屋外側にはレインバリアが設けられ、屋内側にはウインドウバリアが設けられている。
【００７６】
上側に配置されたインナースキン１０Ｂの下枠４２の基部４５には、下方に向かって突出し、左右方向に延びる内側突出片８７が設けられている。内側突出片８７は、見込み方向に離間して一対設けられている。下枠４２の内側突出片８７が、上枠４１の外側突出片８６の内側に嵌め込まれている。
【００７７】
図５に示すように、上下方向に隣接するカーテンウォールユニット１０の屋外側では、上下のアウタースキン１０Ａ同士は直接連結されず、下側に配置されたアウタースキン１０Ａの上枠２１と上側に配置されたアウタースキン１０Ａの下枠２２とは互いに隙間Ｓ３を有して配置されるとともに、上枠２１と下枠２２との間にはスプラッシュバリア９６が設けられている。
【００７８】
次に、上記のカーテンウォールユニット１０を、建築物Ａの躯体Ｂに取り付ける施工方法について説明する。
まず、ユニット組立工程を行う。
すなわち、インナースキン１０Ｂの縦枠４３の上端部及びとアウタースキン１０Ａの縦枠２３の上端部と上支持材６とを螺子６１で連結する。また、インナースキン１０Ｂの縦枠４３の下端部及びとアウタースキン１０Ａの縦枠２３の下端部と下支持材７とを螺子７４で連結する。これにより、カーテンウォールユニット１０が組み上がる。
【００７９】
次に、付帯物設置工程を行う。
すなわち、上枠２１の屋内側にブラインド支持部２８を取り付け、ブラインド支持部２８の下面にブランドＢを取り付ける。また、下支持材７の支持板部７２に、グレーチング板Ｇの端部を螺子（不図示）等により固定する。
【００８０】
次に、固定工程を行う。
すなわち、インナースキン１０Ｂの縦枠４３の上部及び中間枠４４よりもわずかに上方位置に、ブラケット９１を締結ボルト９１Ｂで固定する。また、建築物Ａの躯体Ｂに設けられたプレートＰに、ファスナー９２の水平部９３を締結ボルト９３Ｂで固定する。ブラケット９１を、ファスナー９２の鉛直部９４に締結ボルト９４Ｂで固定する。
【００８１】
次に、ユニット連結工程を行う。
すなわち、上記により建築物Ａに取り付けられたカーテンウォールユニット１０の左右方向及び上方に、別のカーテンウォールユニット１０を隣接して取り付ける。
左右方向に隣接して取り付ける場合には、インナースキン１０Ｂの縦枠４３同士を嵌合する。アウタースキン１０Ａ同士は連結せずに、隙間Ｓ３にスプラッシュバリア９６を取り付ける。
上方に隣接して取り付ける場合には、下側のインナースキン１０Ｂの上枠４１に、上側のインナースキン１０Ｂの下枠４２を嵌め込む。アウタースキン１０Ａ同士は直接連結せずに、隙間Ｓ３にスプラッシュバリア９６を取り付ける。
【００８２】
このように構成されたカーテンウォール１は、インナースキン１０Ｂと、アウタースキン１０Ａと、インナースキン１０Ｂとアウタースキン１０Ａとを連結する上支持材６及び下支持材７と、を有する。カーテンウォール１は、インナースキン１０Ｂに設けられたブラケット９１により建築物Ａの外周部に固定される。よって、ユニット化されたカーテンウォール１により、短期間で施工が可能である。
【００８３】
また、インナースキン１０Ｂとアウタースキン１０Ａとは棒状に形成された上支持材６及び下支持材７により連結されている。よって、インナースキン１０Ｂとアウタースキン１０Ａとの間の空間の外周において上支持材６及び下支持材７が設けられていない空間、つまり連通空間Ｋ１を通して、外部からインナースキン１０Ｂとアウタースキン１０Ａとの間に空気を流入させることができるとともに、インナースキン１０Ｂとアウタースキン１０Ａとの間から外部に空気を流出させることができ（図３に示す矢印Ｆ参照）、換気効率を確保することができる。
【００８４】
また、インナースキン１０Ｂとアウタースキン１０Ａとは、上部及び下部で、上支持材６及び下支持材７で連結されている。よって、インナースキン１０Ｂとアウタースキン１０Ａとを容易に連結できるとともに、剛性の高いカーテンウォールユニット１０とすることができる。
【００８５】
また、上部インナーガラス５１及び下部インナーガラス５３は枠体２に、気密材５６を介して固定されている。よって、気密材５６により屋内側に水の浸入が抑制され水密性を確保しつつ、インナーガラスを設けることができる。
【００８６】
また、インナースキン１０Ｂは枠体２の内部に上部インナーガラス５１及び下部インナーガラス５３よりも屋内側に配置されたボード５２を有しているため、建築物Ａの外周部の露出をボード５２により抑制することができる。さらに、ボード５２として耐火性を有する材料を採用することで、建築物Ａの耐火性能を確保することができる。
【００８７】
また、インナースキン１０Ｂは、腰部５０Ａ及び窓部５０Ｂを有するとともに、正面視でアウタースキン１０Ａと重なるように配置されている。また、インナースキン１０Ｂの縦枠４３の屋内側に、ブラケット９１が固定されている。このため、カーテンウォールユニット１０を躯体Ｂに固定するための支持体等を躯体Ｂから屋外側に張り出させる必要がなく、インナースキン１０Ｂの高さを高く、つまりインナースキン１０Ｂの高さをアウタースキンと同じ高さに設定することができる。
【００８８】
また、アウタースキン１０Ａは上支持材６及び下支持材７によりインナースキン１０Ｂに支持されるとともに、インナースキン１０Ｂに設けられたブラケット９１がファスナー９２を介して躯体Ｂに固定されている。つまり、躯体Ｂに固定されたインナースキン１０Ｂがアウタースキン１０Ａを支持する構成である。よって、アウタースキン１０Ａの縦枠２３等は躯体Ｂに直接支持されないため、縦枠２３の断面積を大きくして強度を確保する必要がなく、縦枠２３の見込み寸法を小さくしてコンパクトな設計とすることができる。
【００８９】
また、アウタースキン１０Ａの縦枠２３の屋内側には、屋外側に向かって凹む取付空間Ｓ１形成され、取付空間Ｓ１には上支持材６及び下支持材７の端部が配置されている。よって、屋外側から見ると、上支持材６及び下支持材７が枠体２で隠れて目視できないため、外観意匠を向上させることができる。
【００９０】
また、隣接するインナースキン１０Ｂ同士が連結されることで、隣接するカーテンウォールユニット１０同士が連結される。隣接するアウタースキン１０Ａ間同士は連結されず、アウタースキン１０Ａ同士の間にはスプラッシュバリア９６が設けられるため、カーテンウォールユニット１０の振動やクリアランス等をスプラッシュバリア９６により吸収することができる。
【００９１】
また、ブランドＢ及びグレーチング板Ｇを予めカーテンウォールユニット１０に設置しておくことで、工期を短縮することができる。
【００９２】
なお、上述した実施の形態において示した各構成部材の諸形状や組み合わせ等は一例であって、本発明の主旨から逸脱しない範囲において設計要求等に基づき種々変更可能である。
【００９３】
また、上記に示す実施形態において、取付空間Ｓ１は縦枠２３，４３の上下方向に沿って形成されているが、上支持材６及び下支持材７が固定される部分のみ、つまり縦枠２３，４３の上端部及び下端部のみに形成されていてもよい。あるいは、縦枠２３，４３には、取付空間Ｓ１が形成されずに、上支持材６及び下支持材７は、アウタースキン１０Ａの縦枠２３の屋内側の面とインナースキン１０Ｂの縦枠４３の屋外側の面とを連結する構成であってもよい。さらには、上支持材６がアウタースキン１０Ａの上枠２１とインナースキン１０Ｂの上枠４１とを連結し、下支持材７がアウタースキン１０Ａの下枠２２とインナースキン１０Ｂの下枠４２とを連結する構成であってもよい。また、カーテンウォールユニット１０の剛性を高めるために、アウタースキン１０Ａの縦枠２３の上端部（下端部）とインナースキン１０Ｂの縦枠４３の下端部（上端部）とを斜めに連結する筋違い部材を設けてもよい。
【００９４】
また、上記に示す実施形態において、カーテンウォールユニット１０は、ファスナー９２を介して、梁Ｂ１の上部（図４参照）及び梁Ｂ１の下部（図９参照）の上下方向の２箇所で固定される構成であるが、本発明はこれに限られない。例えば、梁Ｂ１の上部でのみ、ファスナー９２を介して固定される構成であってもよい。また、吹抜け部分に設けられるカーテンウォールユニット１０や、縦枠２３，４３の長さが長いカーテンウォールユニット１０では、ファスナー９２で上下方向に３箇所以上で固定されていてもよい。
【００９５】
また、カーテンウォールユニット１０は、左右方向に２箇所（カーテンウォールユニット１０の左端部及びカーテンウォールユニット１０の右端部）で、ファスナー９２を介して、躯体Ｂに固定されているが、本発明はこれに限られない。左右方向に３箇所以上で固定されていてもよい。
【００９６】
また、上記に示す実施形態において、中間枠４４はインナースキン１０Ｂに設けられているが、本発明はこれに限られず、中間枠４４がアウタースキン１０Ａに設けられていてもよい。
【符号の説明】
【００９７】
１…カーテンウォール（カーテンウォール設置構造）
１Ａ…アウター面材
１Ｂ…インナー面材
２…枠体（アウター側枠体）
４…枠体（インナー側枠体）
６…上支持材（連結部材、上部連結部）
７…下支持材（連結部材、下部連結部）
１０…カーテンウォールユニット
１０Ａ…アウタースキン
１０Ｂ…インナースキン
２０…枠
２１…上枠
２２…下枠
２３…縦枠
３０…アウターガラス
３６…気密材
４１…上枠
４２…下枠
４３…縦枠
４４…中間枠
４８…結露排水弁
５０Ａ…腰部
５０Ｂ…窓部
５１…上部インナーガラス（インナーガラス）
５２…ボード
５３…下部インナーガラス（インナーガラス）
５６…気密材
９１…ブラケット（固定部）
９２…ファスナー
９６…スプラッシュバリア（気密材）
Ｃ…ブランド（付帯物）
Ｇ…グレーチング板（付帯物）
Ｐ…プレート
Ｓ１，Ｓ２…取付空間（凹部）
Ｓ３…隙間
Ｋ１…連通空間
【要約】
【課題】短期間で施工が可能なカーテンウォールユニット、カーテンウォール設置構造及びカーテンウォールの施工方法を提供する。
【解決手段】カーテンウォールユニット１０は、躯体Ｂに取り付けられるカーテンウォールユニット１０であって、躯体Ｂに沿って配置されるインナースキン１０Ｂと、インナースキン１０Ｂの屋外側に間隔を有して配置されるアウタースキン１０Ａと、インナースキン１０Ｂとアウタースキン１０Ａとを連結する連結部材６，７と、を備え、インナースキン１０Ｂは、躯体Ｂに固定される固定部９１を有することを特徴とする。
【選択図】図４【図１】
0005978498.tif 000002
【図２】
0005978498.tif 000003
【図３】
0005978498.tif 000004
【図４】
0005978498.tif 000005
【図５】
0005978498.tif 000006
【図６】
0005978498.tif 000007
【図７】
0005978498.tif 000008
【図８】
0005978498.tif 000009
【図９】
0005978498.tif 000010
【図１０】
0005978498.tif 000011
【図１１】
0005978498.tif 000012